【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
人間の被験者の脳の電気的活動を検出するためのヘッドセットであって、
被験者の額に合うように寸法を決められた柔軟な基板であって、前記柔軟な基板は、第１端および第２端を有し、前記第１端および前記第２端の各々は、前記額を横断して前記基板を置くように、前記被験者の耳に係合するように構成された固定装置を含み、前記基板は、前記第１端と前記第２端との間の距離を選択的に変えることができる少なくとも１つの拡張可能領域を含む、柔軟な基板と、
複数の電極であって、前記複数の電極は、前記ヘッドセットが前記被験者の上に置かれると前記電極が前記被験者に接触するように、前記基板の上に配置されており、第１電極は前記額の上部中央領域に接触するように構成され、第２電極は前記額の下部中央領域に接触するように構成され、第３電極は前記額の前面右側領域に接触するように構成され、第４電極は前記額の前面左側領域に接触するように構成され、第５電極は前記額の右側領域に接触するように構成され、第６電極は前記額の左側領域に接触するように構成され、１つの電極が、各固定装置の中に含まれ、前記ヘッドセットが前記被験者の上に置かれると、前記被験者の耳領域に接触するように構成され、少なくとも前記第３電極および前記第４電極は、前記ヘッドセットが前記被験者の上に置かれると、他の電極に対して少なくとも縦方向に移動可能である、複数の電極と、
前記基板における柔軟な回路であって、各電極に作用可能に結合されている柔軟な回路と
を備える、ヘッドセット。
【請求項２】
前記複数の電極のうちの少なくとも１つは、接地電極である、請求項１に記載のヘッドセット。
【請求項３】
少なくとも前記第３電極および前記第４電極の各々は、距離表示ゲージを含む、請求項１に記載のヘッドセット。
【請求項４】
前記距離表示ゲージは、前記電極に接続された第１端と前記電極から延びた第２自由端とを有するタブを含む、請求項３に記載のヘッドセット。
【請求項５】
前記距離表示ゲージの前記第２端から前記電極の中央までの距離が、前記ヘッドセットが前記被験者の前記額の上に置かれたときに前記電極が前記被験者の解剖学的特徴から位置する距離に実質的に等しい、請求項４に記載のヘッドセット。
【請求項６】
前記解剖学的特徴が眉である、請求項５に記載のヘッドセット。
【請求項７】
前記距離表示ゲージの前記第２端から前記電極の前記中央までの距離が１７．７ミリメートルに実質的に等しい、請求項５に記載のヘッドセット。
【請求項８】
前記少なくとも１つの拡張可能領域が、前記基板における湾曲部を含む、請求項１に記載のヘッドセット。
【請求項９】
脳電気活動を検出するためのヘッドセットであって、
人間の被験者の額に合うように寸法を決められた柔軟な基板であって、前記柔軟な基板は第１端および第２端を有し、前記第１端および前記第２端の各々は、前記額を横断して前記柔軟な基板を置くように、前記被験者の耳に係合するように構成された固定装置を含む、柔軟な基板と、
前記柔軟な基板の上に配置された第１センサーであって、前記第１センサーは、前記ヘッドセットが前記被験者の上に置かれると前記額の上部中央領域に接触するように構成されている、第１センサーと、
前記柔軟な基板の上に配置された第２センサーであって、前記第２センサーは、前記ヘッドセットが前記被験者の上に置かれると前記額の下部中央領域に接触するように構成されている、第２センサーと、
前記柔軟な基板の上に配置された第３センサーであって、前記第３センサーは、前記ヘッドセットが前記被験者の上に置かれると前記額の左前面領域に接触するように構成され、前記ヘッドセットは、前記第３センサーの位置が前記第１センサーの位置に対して移動可能であるように、調節可能である、第３センサーと、
前記柔軟な基板の上に配置された第４センサーであって、前記第４センサーは、前記ヘッドセットが前記被験者の上に置かれると前記額の右前面領域に接触するように構成され、前記ヘッドセットは、前記第４センサーの位置が前記第１センサーの位置に対して移動可能であるように、調節可能である、第４センサーと、
前記柔軟な基板の上に配置された第５センサーであって、前記第５センサーは、前記ヘッドセットが前記被験者の上に置かれると前記額の左側領域に接触するように構成されている、第５センサーと、
前記柔軟な基板の上に配置された第６センサーであって、前記第６センサーは、前記ヘッドセットが前記被験者の上に置かれると前記額の右側領域に接触するように構成されている、第６センサーと、
前記柔軟な基板の前記第１端の上に配置された第７センサーであって、前記第７センサーは、前記ヘッドセットが前記被験者の上に置かれると前記被験者の左耳領域に接触するように構成されている、第７センサーと、
前記柔軟な基板の前記第２端の上に配置された第８センサーであって、前記第８センサーは、前記ヘッドセットが前記被験者の上に置かれると前記被験者の右耳領域に接触するように構成されている、第８センサーと
を備え、前記第２センサー、前記第３センサーおよび前記第４センサーの各々は、伸ばされた部分を含み、前記伸ばされた部分は、前記センサーに接続された第１端と、前記センサーから延びた自由端とを有する、ヘッドセット。
【請求項１０】
請求項９に記載のヘッドセットを適用する方法であって、前記方法は、
前記第２センサーと前記第１センサーとを前記額の上に並べるために、前記被験者のナジオン領域に前記第２センサーの前記伸ばされた部分の前記自由端を置くことと、
前記第１センサーが前記被検者のヘアラインの下で前記額の上に位置するように前記第１センサーの位置を調節することと、
前記第１センサーと前記第２センサーとを前記被験者の前記額に取り付けることと、
前記第１端を前記被験者の第１耳領域に係合させることと、
前記第２端を前記被験者の第２耳領域に係合させることと、
前記第７センサーを前記第１耳領域に取り付け、前記第８センサーを前記第２耳領域に取り付けることと、
前記第３センサーの前記伸ばされた部分の前記自由端が第１眉に触れないように、前記自由端を前記被験者の前記第１眉の真上に置き、前記被験者の前記額に前記第３センサーを取り付けることと、
前記第４センサーの前記伸ばされた部分の前記自由端が第２眉に触れないように、前記自由端を前記被験者の前記第２眉の真上に置き、前記被験者の前記額に前記第４センサーを取り付けることと、
前記被験者の前記額に前記第５センサーを取り付けることと、
前記被験者の前記額に前記第６センサーを取り付けることと
を含む、方法。
【請求項１１】
人間の被験者の脳の電気的活動を検出するためのヘッドセットであって、
被験者の額に合うように寸法を決められた柔軟な基板と、
複数の電極であって、前記複数の電極は、前記ヘッドセットが前記被験者の上に置かれると前記電極が前記被験者に接触するように、前記基板の上に配置されており、第１電極は、前記額の下部中央領域に接触するように構成され、第２電極は、前記額の上部中央領域に接触するように構成され、第３電極は、前記額の前面右側領域に接触するように構成され、第４電極は、前記額の前面左側領域に接触するように構成され、第５電極は、前記額の右側領域に接触するように構成され、第６電極は、前記額の左側領域に接触するように構成されている、複数の電極と、
ナジオン点であって、前記ナジオン点は、前記第１電極から一貫した所定の距離だけ延び、前記ナジオン点は、前記ナジオン点が前記被験者の解剖学的領域と並べられると、前記第１電極が前記額の前記下部中央領域上の前記解剖学的領域から前記一貫した所定の距離だけ離れて置かれるように、寸法を決められている、ナジオン点と、
前記基板と関連付けられた柔軟な回路であって、前記複数の電極の各々に作用可能に結合されている柔軟な回路と
を備える、ヘッドセット。
【請求項１２】
前記ナジオン点は、タブを含む、請求項１１に記載のヘッドセット。
【請求項１３】
前記解剖学的領域は、前記被験者のナジオンである、請求項１１に記載のヘッドセット。
【請求項１４】
前記ヘッドセットは、前記ナジオン点が前記解剖学的領域と並べられると、前記複数の電極が前記被験者のヘアラインの下の前記額上で方向付けられるように、寸法を決められている、請求項１１に記載のヘッドセット。
【請求項１５】
前記ナジオン点は、少なくとも１つの視覚的な印インジケータを含む、請求項１１に記載のヘッドセット。
【請求項１６】
前記複数の電極のうちの少なくとも１つは、接地電極である、請求項１１に記載のヘッドセット。
【請求項１７】
人間の被験者の脳の電気的活動を検出するためのヘッドセットであって、
被験者の額に合うように寸法を決められた柔軟な基板と、
複数の電極であって、前記複数の電極は、前記ヘッドセットが前記被験者の上に置かれると前記電極が前記被験者に接触するように、前記基板の上に配置されている、複数の電極と、
前記複数の電極のうちの第１電極であって、前記第１電極は、前記額の下部中央領域に接触するように構成されている、第１電極と、
ナジオン点であって、前記ナジオン点は、前記第１電極から一貫した所定の距離だけ延び、前記ヘッドセットは、前記額上に置かれると、前記ナジオン点が前記被験者の解剖学的領域と並べられ、かつ、前記第１電極が前記解剖学的領域から前記一貫した所定の距離だけ離れて前記額上に置かれるように、寸法を決められている、ナジオン点と
を備える、ヘッドセット。
【請求項１８】
前記解剖学的領域は、前記被験者のナジオンである、請求項１７に記載のヘッドセット。
【請求項１９】
前記ナジオン点は、前記ナジオン点が前記被験者のナジオンと並べられるときに前記第１電極を前記額の前記下部中央領域に置くことによって、前記被験者の前記額上の前記ヘッドセットの位置を特定するように構成されている、請求項１７に記載のヘッドセット。
【請求項２０】
前記ナジオン点は、タブを含む、請求項１７に記載のヘッドセット。
【請求項２１】
前記ナジオン点は、少なくとも１つの視覚的な印インジケータを含む、請求項１７に記載のヘッドセット。
【請求項２２】
前記額の前面右側領域に接触するように構成された第２電極と、前記額の前面左側領域に接触するように構成された第３電極とをさらに備える、請求項１７に記載のヘッドセット。
【請求項２３】
前記第２電極および前記第３電極は、前記複数の電極のうちの他の電極に対して少なくとも縦方向に移動可能である、請求項２２に記載のヘッドセット。
【請求項２４】
前記第２電極は、第１距離表示ゲージを含み、前記第３電極は、第２距離表示ゲージを含み、前記第１距離表示ゲージおよび前記第２距離表示ゲージは各々、タブを含む、請求項２２に記載のヘッドセット。
【請求項２５】
前記第１距離表示ゲージおよび前記第２距離表示ゲージのうちの少なくとも１つは、視覚的な印インジケータを含む、請求項２４に記載のヘッドセット。
【請求項２６】
前記第１距離表示ゲージは、前記額の前面右側領域上の前記第２電極の眉に対する位置を特定するように構成され、前記第２距離表示ゲージは、前記額の前面左側領域上の前記第３電極の眉に対する位置を特定するように構成されている、請求項２４に記載のヘッドセット。
【請求項２７】
前記ヘッドセットは、第１端および第２端を含み、前記第１端および前記第２端は各々、前記被験者の前記額を横断して前記基板を保持するように、前記被験者の耳に係合するように構成された固定装置を含む、請求項１７に記載のヘッドセット。
【請求項２８】
前記複数の電極は、前記額の上部中央領域に接触するように構成された第２電極と、前記額の前面右側領域に接触するように構成された第３電極と、前記額の前面左側領域に接触するように構成された第４電極と、前記額の右側領域に接触するように構成された第５電極と、前記額の左側領域に接触するように構成された第６電極とをさらに含む、請求項１７に記載のヘッドセット。
【請求項２９】
人間の被験者の脳の電気的活動を検出するための複数の電極を有するヘッドセットを前記被験者のヘアラインの下で前記被験者の額上に設置するための方法であって、前記方法は、
前記ヘッドセットの第１電極から一貫した所定の距離だけ延びるナジオン点を前記被験者のナジオンと並べることであって、前記ナジオン点を並べることは、前記ヘッドセットの前記第１電極から一貫した所定の距離で、前記被験者の前記額の下部中央領域に前記第１電極を置き、前記被験者の上部中央領域に第２電極を置く、ことと、
前記額の前記下部中央領域に前記第１電極を取り付けることと、
前記被験者の前記ヘアラインの下で前記額の前記上部中央領域に前記第２電極を取り付けることと、
前記被験者の右眉の上方の前記額の前面右側領域に前記ヘッドセットの第３電極を取り付けることと、
前記被験者の左眉の上方の前記額の前面左側領域に前記ヘッドセットの第４電極を取り付けることと、
前記額の右側領域に前記ヘッドセットの第５電極を取り付けることと、
前記額の左側領域に前記ヘッドセットの第６電極を取り付けることと
を含む、方法。
【請求項３０】
前記方法は、前記被験者の前記額を横断して前記ヘッドセットを置くように、少なくとも１つの耳ループを前記被験者の耳と係合させることをさらに含む、請求項２９に記載の方法。
【請求項３１】
前記第３電極または前記第４電極のうちの少なくとも１つを取り付けることは、前記第３電極または前記第４電極のうちの少なくとも１つを前記額に貼り付ける前に、前記第３電極または前記第４電極のうちの少なくとも１つを前記複数の電極のうちの他の電極に対して縦方向に移動させることを含む、請求項２９に記載の方法。
【請求項３２】
前記第３電極および前記第４電極を取り付けることは、第１距離表示ゲージを前記被験者の前記右眉と並べることと、第２距離表示ゲージを前記被験者の前記左眉と並べることとを含む、請求項２９に記載の方法。
【請求項３３】
前記ヘッドセットをプロセッサーに接続することをさらに含む、請求項２９に記載の方法。
【手続補正２】
【補正対象書類名】明細書
【補正対象項目名】００１８
【補正方法】変更
【補正の内容】
【００１８】
更に、このヘッドセットに適用される方法は、下記を含む場合がある；被験者のナジオン領域の第２センサーの延長部分の自由端を第２センサー及び額の上の第１センサーと一直線に並ぶように置き；第１センサーが被験者のヘアラインの下の額の上に置かれるように第１センサーの位置を調節する；第１センサーと第２センサーを被験者の額に取り付ける;第１端を被験者の第１耳の領域に嵌め；第２端を被験者の第２耳領域に嵌める；第７
センサーを第１耳領域に取り付け、第８センサーを第２耳領域に取り付ける；第３センサーの延長部分の自由端を、自由端が第１眉に接触しないように、直接被験者の眉の上に取り付け、そして、第３センサーを被験者の額に取り付ける；第４センサーの延長部分の自由端を、自由端が第２眉に接触しないように直接被験者の第２眉の上にとりつけ、第４センサーを被験者の額の上に取り付ける；第５センサーを被験者の額の上に取り付ける；そして第６センサーを被験者の額に取り付ける。
本発明は、例えば、以下を提供する。
（項目１）
人間の被験者の脳の電気的活動を検出するためのヘッドセットで、
被験者の額に合わせるように、寸法が決められた柔軟な基板は、第１端と第２端を有し、この中で前記第１端及び前記第２端の各々は、前記基板を、前記額を横断して取り付けるために、前記被験者の耳に嵌まる様に形成された固定装置を含み、及び、この中で前記基板は、第１端と第２端の間の距離を選択出来る形で変えることが許容される少なくとも１つの広げることを出来る領域を含み、
前記ヘッドセットが、前記被験者に置かれると前記電極が前記被験者に接触するように前記基板の上の複数の電極が載せられており、
その中で第１電極は前記額の上部中央に接触する様に形成され、第２電極は前記額の下部中央に接触するように形成され、第３電極は前記額の前面右側領域に接触する様に形成され、第４電極は前記額の前面左側領域に接触する様に形成され、第５電極は前記額の右側領域に接触する様に形成され、そして第６電極は前記額の左側領域に接触するように形成され、
１つの電極が各固定装置の中に含まれ、及び前記ヘッドセットが前記被験者の上に置かれると、前記被験者の耳領域に接触するように形成され、そして
その中で少なくとも１つの前記第３電極と前記第４電極が、前記ヘッドセットが前記被験者の上に置かれると、前記他の電極に関連して少なくとも１つの縦方向に動くことができ、
前記基板の中の柔軟な回路が運転できるように各電極に繋がっていることで構成されている前記ヘッドセット。
（項目２）
前記複数の電極の少なくとも１つが接地電極である、項目１に記載の前記ヘッドセット。
（項目３）
少なくとも１つの前記第３電極及び前記第４電極の各々が距離表示ゲージを含んでいる、項目１に記載の前記ヘッドセット。
（項目４）
前記距離表示ゲージは前記電極に接続された第１端と前記電極から延びた第２自由端を備えたタブを含んでいる、項目３に記載の前記ヘッドセット。
（項目５）
前記距離表示ゲージの前記第２端から前記電極中央までの距離が、前記ヘッドセットが前記被験者の額の上に置かれた時に、前記電極が前記被験者の解剖学的形状から置かれた距離が、殆ど等しい、項目４に記載の前記ヘッドセット。
（項目６）
解剖学的形状が眉である、項目５に記載のヘッドセット。
（項目７）
前記距離表示ゲージの前記第２端から前記電極の前記中央までの距離が殆ど１７．７ミリメーターに等しい、項目５に記載の前記ヘッドセット。
（項目８）
前記基板の中に、前記少なくとも１つの広がることが出来る領域が、湾曲または波型を含んだ、項目１に記載のヘッドセット。
（項目９）
ヘッドセットを脳の電気的活動を検出するために被験者に適用する方法で、
第１センサーを前記被験者の左耳領域に適用し、
第２センサーを前記被験者の右耳領域に適用し、
第３センサーを前記被験者の前記額の上部中央領域に適用し、
第４センサーを前記被験者の前記額に適用し、
第５センサーを前記被験者の前記額の左前面領域に適用し
第６センサーを前記被験者の前記額の右前面領域に適用し、
第７センサーを前記被験者の額の左側領域に適用し、
第８センサーを前記被験者の前記額の右側領域に適用し、
前記ヘッドセットは第１端と第２端を有する前記被験者の前記額に合わせるようにする寸法が決められた、柔軟な基板を含み、前記第１端と前記第２端の各々は、前記柔軟な基板が前記被験者の前記額を横断するように配置するために、前記被験者の耳に嵌るように形成された固定装置を含み、前記柔軟な基板は、少なくとも１つの適用されたセンサーから前記被験者の解剖学的形状からの距離を表示するために形成された少なくとも１つの距離ゲージを含み、そして前記ヘッドセットは接続子領域を含み、
前記接続子領域をプロセッサーに接続する、
ことで構成された前記方法。
（項目１０）
前記接続が前記接続子領域から前記プロセッサーへ無線接続を含む、項目９に記載の前記方法。
（項目１１）
前記接続が前記接続子領域から前記プロセッサーへの物理的な接続を含む、項目９に記載の前記方法。
（項目１２）
前記プロセッサーは可搬型の手持ち装置の中に収納され、及び、少なくとも１つのセンサーからデータを受け取るように形成された、項目９に記載の前記方法。
（項目１３）
更に、インピーダンスチェックを管理し、前記可搬型の手持ち装置は少なくとも１つの信号を各センサーに送信し、そして各センサーのインピーダンス値を識別するために各センサーからの結果の電流値を計測することを含む、項目１２に記載の方法。
（項目１４）
前記可搬型手持ち装置は、各センサーの前記インピーダンス値を表示するためのディスプレースクリーンを含み、前記方法は、さらに
各センサーの前記識別された前記インピーダンス値を、前記インピーダンス値が前記範囲に中に落ちるかどうかを決めるために予め決められたインピーダンス範囲と比較し、そして
前記インピーダンス値が前記範囲の外に落ちるいずれかの前記センサーを調節し、前記センサーの前記インピーダンスを前記範囲の中に落とすことを含む、項目１３に記載の前記方法。
（項目１５）
前記基板は、第１端と第２端の間の距離を選択出来る形で変えることが出来る、少なくとも１つの拡げられる領域を含む、項目９の前記方法。
（項目１６）
前記第４センサーは、前記被験者の前記額の下部中央領域に適用し、前記第４センサーは接地されている、項目９に記載の前記方法。
（項目１７）
前記被験者の前記解剖学的領域が眉である、項目９に記載の前記方法。
（項目１８）
第１距離ゲージは、前記第５センサーの下部領域から伸びたタブを含み、第２距離ゲージは、前記第６センサーの下部領域から伸びたタブを含んでいる、項目１７に記載の前記方法。
（項目１９）
前記第５センサーの適用と前記第６センサーの適用は、前記タブが前記眉に触ることなく、前記タブの遠位領域が前記眉の上に直接位置するようにそれぞれの前記タブの調節を含む、項目１８に記載の前記方法。
（項目２０）
少なくとも１つのセンサーが取り外し可能である、項目９に記載の前記方法。
（項目２１）
前記第３電極の適用は前記第３電極を前記被験者のヘアラインの下に配置することを含む、項目９に記載の前記方法。
（項目２２）
前記被験者の前記解剖学的領域は前記被験者のナジオンである、項目９に記載の前記方法。
（項目２３）
前記距離ゲージは前記第から伸ばされた部分を含み、そして前記第４センサーの適用は、前記距離ゲージの遠位部分が前記被験者のナジオンの直接上になるように、前記距離ゲージの位置を決めることを含んでいる、項目２２に記載の前記方法。
（項目２４）
脳電気活動を検出するためのヘッドセットで、
人間の被験者の額に合うように寸法が決められた柔軟な基板は第１端と第２端を有し、前記第１端と前記第２端の各々は、前記額を横断して前記柔軟な基板を置く様に、前記被験者の耳に嵌まるように形成された固定装置を含み、
前記柔軟な基板の上に置かれた第１センサーは、前記ヘッドセットが前記被験者の上に置かれると、前記額の上部中央領域に接触する様に形成され、
前記柔軟な基板の上に置かれた第２センサーは、前記ヘッドセットが前記被験者の上に置かれると、前記額の下部中央領域に接触するように形成され、
第３センサーは、前記柔軟な基板の上に置かれ、前記ヘッドセットが前記被験者の上に置かれると、前記額の左前面領域に接触するように形成され、第３センサーの位置は前記第１センサーの位置に関連して動かすことが出来るように、前記ヘッドセットは調節可能で、
第４センサーは、前記柔軟な基板の上に置かれ、前記ヘッドセットが前記被験者の上に置かれると、前記額の右前面領域に接触する様に形成され、第４センサーの位置は、第１センサーの位置に関連して動かすことが出来るように、前記ヘッドセットは調節可能で、
第５センサーは柔軟な基板の上に置かれ、前記ヘッドセットが前記被験者の上に置かれると、前記額の右側領域に接触する様に形成され、
第６センサーは前記柔軟な基板の上に置かれ、前記ヘッドセットが前記被験者の上に置かれると、前記額の右側領域に接触する様に形成され、
第７センサーは、前記柔軟な基板の上の第１端に置かれ、前記ヘッドセットが前記被験者の上に置かれると、前記被験者の左耳領域に接触する様に形成され、及び
第８センサーは前記柔軟な基板の上の第２端に置かれ、前記ヘッドセットが前記被験者の上に置かれると、前記被験者の右耳領域に接触する様に形成され、
前記第２センサー、前記第３センサー及び前記第４センサーの各々は、前記センサーに接続された第１端を有する伸ばされた部分、及び前記センサーから伸びた自由端を含むヘッドセット。
（項目２５）
項目２４に記載のヘッドセットを適用する方法で、方法は、
前記第２センサーと前記第１センサーを前記額に並べるために、前記被験者のナジオン領域に前記第２センサーの前記伸ばされた部分の前記自由端を置き、
前記第１センサーが前記被検者のヘアラインの下の前記額の上に置かれるように前記第１センサーの位置を調節し、
前記第１センサーと前記第２センサーを前記被験者の前記額に取り付け、
前記第１端を前記被験者の第１耳領域に嵌め、
前記第２端を前記被験者の第２耳領域に嵌め、
前記自由端が前記第１眉に触らないように、前記第３センサーの伸ばされた部分の自由端を前記第１眉の上に直接置き、前記被験者の前記額に前記第３センサーを取り付け、
前記自由端が前記第２眉に触らないように、前記第４センサーの伸ばされた部分の前記自由端を前記被験者の第２眉の上に直接置き、前記被験者の前記額に第４センサーを取り付け、
前記被験者の前記額に前記第５センサーを取り付け、
前記被験者の前記額に前記第６センサーを取り付けることを含む方法。